(57)【要約】【課題】故障個所を判別する回路が第１サーバの異常を検出し、その検出結果に基づき、異常がある第１サーバを第２サーバから速やかに分離することを可能とする。【解決手段】第１サーバ３の内部異常を検出する故障検出回路７と、故障検出回路７の検出結果に基づき内部異常による故障個所が第１サーバ３にあるか否かを判別する故障個所判別回路６と、故障個所判別回路６の判別結果に基づき、サーバ固定機構を作動させる駆動回路８とを有し、故障個所判別回路６は、故障検出回路７の検出結果に基づき故障個所が第１サーバにあると判別した場合に駆動回路８に対して前記第１サーバのみの引き出しを許容する。【選択図】図１
2017167731.tif 000002
【特許請求の範囲】
【請求項１】
サーバラックの引き出し方向に沿う一方の側に配置される第１サーバと、前記サーバラックの他方の側に配置されて外部ケーブル類が接続されている第２サーバと、前記サーバラックに対して前記第２サーバを固定又は固定解除するためのサーバ固定機構と、前記第１サーバ又は該第１サーバとともに前記第２サーバを引き出すための分離レバーと、を有するサーバ装置であって、
前記第１サーバ又は第２サーバの内部異常を検出する故障検出回路と、
前記故障検出回路の検出結果に基づき内部異常による故障個所が前記第１サーバにあるか否かを判別する故障個所判別回路と、
前記故障個所判別回路の判別結果に基づき、前記サーバ固定機構を作動させる駆動回路と、を有し、
前記故障個所判別回路は、前記故障検出回路の検出結果に基づき故障個所が第１サーバにあると判別した場合に、前記駆動回路に対して前記第１サーバのみの引き出しを許容することを特徴とするサーバ装置。
【請求項２】
前記故障個所判別回路は、前記故障検出回路の検出結果に基づき、内部異常による故障個所が第１サーバにあると判別した場合に、前記駆動回路に対してサーバ固定機構による前記第２サーバの固定を行なわせ、また、当該故障個所が前記第２サーバにあると判別した場合に、前記駆動回路に対して前記サーバ固定機構による該第２サーバの固定解除を行なわせることを特徴とする請求項１に記載のサーバ装置。
【請求項３】
前記サーバ固定機構による前記第２サーバの固定状況を表示する表示部がさらに設けられることを特徴とする請求項１又は２のいずれか１項に記載のサーバ装置。
【請求項４】
前記故障個所判別回路には、前記サーバ固定機構による前記第２サーバの固定解除を操作するための第２サーバ分離スイッチが接続されていることを特徴とする請求項１〜３のいずれか１項に記載のサーバ装置。
【請求項５】
前記第２サーバ分離スイッチはフロントパネルに設置されることを特徴とする請求項４に記載のサーバ装置。
【請求項６】
サーバラックの引き出し方向に沿う一方の側に配置される第１サーバと、該サーバラックの他方の側に配置されて外部ケーブル類が接続されている第２サーバと、該サーバラックに対して前記第２サーバを固定又は固定解除するためのサーバ固定機構と、前記第１サーバ又は該第１サーバとともに前記第２サーバを引き出すための分離レバーとを有するサーバ装置の分離方法であって、
前記第１サーバ又は第２サーバの内部異常を検出する故障検出工程と、
前記故障検出工程の検出結果に基づき内部異常による故障個所が前記第１サーバにあるか否かを判別する故障個所判別工程と、
前記故障個所判別工程の判別結果に基づき、前記サーバ固定機構を作動させる駆動工程と、を有し、
前記故障個所判別工程は、前記故障検出工程の検出結果に基づき故障個所が第１サーバにあると判別した場合に前記第１サーバのみの引き出しを許容することを特徴とするサーバ装置の分離方法。
【請求項７】
サーバラックの引き出し方向に沿う一方の側に配置される第１サーバと、該サーバラックの他方の側に配置されて外部ケーブル類が接続されている第２サーバと、該サーバラックに対して前記第２サーバを固定又は固定解除するためのサーバ固定機構と、前記第１サーバ又は該第１サーバとともに前記第２サーバを引き出すための分離レバーと、有するサーバ装置の分離プログラムであって、
前記第１サーバ又は第２サーバの内部異常を検出する故障検出段階と、
前記故障検出段階の検出結果に基づき内部異常による故障個所が前記第１サーバにあるか否かを判別する故障個所判別段階と、
前記故障個所判別段階の判別結果に基づき、前記サーバ固定機構を作動させる駆動段階と、を有し、
前記故障個所判別段階は、前記故障検出段階の検出結果に基づき故障個所が第１サーバにあると判別した場合に前記第１サーバのみの引き出しを許容することを特徴とするサーバ装置の分離プログラム。
【発明の詳細な説明】
【技術分野】
【０００１】
本発明は、コンピュータのサーバラックに搭載されるサーバ装置、サーバ装置の分離方法及びプログラムに関する。
【背景技術】
【０００２】
一般的なサーバ装置では、サーバ装置の背面に外部ケーブル類が接続されている。
このため、部品交換／増設等でサーバ装置をラックから降ろして作業を行う場合には、該サーバ装置に接続される外部ケーブル類を取り外す、又は該サーバ装置にケーブルアームを介して引き出される外部ケーブル類の余長処理を行なうなどの対応が必要であった。
一方、サーバ装置に接続される外部ケーブル類を取り外すには、コンピュータ用サーバラックの背面側にまわり外部ケーブル類の取り外し作業を行う必要がある。そして、このようなサーバ装置では、作業終了後に、外部ケーブル類の再接続が必要であるため作業性効率が悪くなるという問題があった。
【０００３】
そして、このような問題を解決するために特許文献１が提供されている。
特許文献１に示されるサーバシステムでは、左右一対のサーバモジュールを有し、各サーバモジュールにて、前方のメインモジュールと、後方のインターフェイスモジュールとを有している。
そして、これらメインモジュール及びインターフェイスモジュールはそれぞれの第１モジュールトレー、第２モジュールトレー上に設置されており、第１モジュールトレーを介して前方側のメインモジュールが抜き出されるようになっている。また、第２モジュールトレーはインターフェイスコネクタと接続されている。
【先行技術文献】
【特許文献】
【０００４】
【特許文献１】特開２０１４−２１５７１号公報
【発明の概要】
【発明が解決しようとする課題】
【０００５】
ところで、特許文献１に示されるサーバシステムでは、不具合が生じた前方のメインモジュールを引き出して修復することはできるものの、このような処置は主に作業員の判断により行われるものであり、状況によっては作業効率が悪くなるという問題があった。
【０００６】
この発明は、上述した事情に鑑みてなされたものであって、故障個所を判別する回路が第１サーバの異常を自動検出し、その検出結果に基づき、異常がある第１サーバを第２サーバから速やかに分離することができる、高い修復作業効率を有するサーバ装置、サーバ装置の分離方法及びプログラムを提供する。
【課題を解決するための手段】
【０００７】
上記課題を解決するために、この発明は以下の手段を提案している。
本発明は、サーバラックの一方の側に配置される第１サーバと、前記サーバラックの他方の側に配置されて外部ケーブル類が接続されている第２サーバと、前記サーバラックに対して前記第２サーバを固定又は固定解除するためのサーバ固定機構と、前記第１サーバ又は該第１サーバとともに前記第２サーバを引き出すための分離レバーと、を有するサーバ装置であって、前記第１サーバ又は第２サーバの内部異常を検出する故障検出回路と、前記故障検出回路の検出結果に基づき内部異常に基づく故障個所が前記第１サーバにあるか否かを判別する故障個所判別回路と、前記故障個所判別回路の判別結果に基づき、前記サーバ固定機構を作動させる駆動回路と、を有し、前記故障個所判別回路は、前記故障検出回路の検出結果に基づき故障個所が第１サーバにあると判別した場合に、前記駆動回路に対して前記第１サーバのみの引き出しを許容することを特徴とする。
【発明の効果】
【０００８】
本発明によれば、故障個所判別回路の判別結果に基づき、第２サーバのケーブル類を取り外すことなく、不具合のある第１サーバのみをサーバラックから速やかに取り外すことができ、これにより修復作業の作業効率を高めることができる。
【図面の簡単な説明】
【０００９】
【図１】本発明に係るサーバ装置を示す概略構成図である。
【図２】本発明の実施形態に係る第１サーバと第２サーバとを結合した場合のラック搭載面を示す図であって、（Ａ）は正面図、（Ｂ）は平面図を示している。
【図３】図２に示すサーバ装置を分離した場合の平面図である。
【図４】第１サーバと第２サーバとを結合した場合の側面図である。
【図５】図４に対応したリンクの配置を示す側面図である。
【図６】第１サーバと第２サーバとを分離した場合の側面図である。
【図７】図６に対応したリンクの配置を示す側面図である。
【図８】サーバ固定機構により第２サーバを分離した場合の正面図である。
【図９】図８に示すサーバ固定機構により第２サーバを固定した場合の正面図である。
【図１０】本発明の実施形態に係るサーバ装置の動作概要フローである。
【発明を実施するための形態】
【００１０】
本発明の一態様に係るサーバ装置１００について図１を参照して説明する。
図１に符号１で示されるものはサーバ本体部、符号２で示されるものは該サーバ本体部１が設置されるサーバラックである。
サーバ本体部１は、サーバラック２の引き出し方向に沿う一方の側（例えば前側）に配置される第１サーバ３と、サーバラック２の他方の側（例えば後側）に配置されて外部ケーブル類Ｃが接続されている第２サーバ４とを有する。これら第１サーバ３と第２サーバ４とは、サーバラック２内にてその引き出し方向に直列的に配置される。
サーバラック２の第２には、該サーバラック２に対して第２サーバ４を固定又は固定解除するためのサーバ固定機構５が設けられている。
【００１１】
このサーバ固定機構５は、一方の側の面（例えば前面）に設けられたフロントパネル（図示略）から操作される他、故障個所判別回路６から出力される制御信号に基づき動作される。
故障個所判別回路６は、第１サーバ３又は第２サーバ４の内部異常を検出する故障検出回路７の検出結果に基づき、該内部異常に基づく故障個所を判別し、その判別結果に基づき、サーバ固定機構５を作動させる駆動回路８を駆動制御する。
【００１２】
具体的には、この故障個所判別回路６では、故障検出回路７の検出結果に基づき故障個所が第１サーバ３にあると判別した場合に、駆動回路８に対してサーバ固定機構５による第２サーバ４の固定を行なわせる。
また、この故障個所判別回路６では、故障検出回路７の検出結果に基づき故障個所が第２サーバ４にあると判別した場合に、駆動回路８に対してサーバ固定機構５による第２サーバ４の固定解除を行なわせる。
【００１３】
サーバ本体部１には分離レバー９が設けられている。この分離レバー９は、第１サーバ３又は該第１サーバ３とともに第２サーバ４を前方（矢印（イ）方向）に引き出すためのものである。
【００１４】
そして、以上のように構成された本発明に示されるサーバ装置１００では、第１サーバ３の内部異常を検出する故障検出回路７の検出結果に基づき、故障個所判別回路６が、内部異常に基づく故障個所が第１サーバ３にあるか、第２サーバ４にあるかを判別する。
その後、この故障個所判別回路６は、故障検出回路７の検出結果に基づく故障個所が第１サーバ３にあると判別した場合に、サーバ固定機構５による第２サーバ４の固定を行なわせ、また、故障検出回路７の検出結果に基づく故障個所が第２サーバ４にあると判別した場合に、サーバ固定機構５による該第２サーバ４の固定解除を行なわせる。
【００１５】
すなわち、上記サーバ装置１００では、故障個所が第１サーバ３にある場合に、サーバ固定機構５による第２サーバ４の固定が行われるので、その後、分離レバー９の操作により第１サーバ３を第２サーバ４から分離することができる。
その結果、上記サーバ装置１００では、故障個所判別回路６の判別結果に基づき、第２サーバ４の外部ケーブル類Ｃを取り外すことなく、不具合のある第１サーバ３のみをサーバラック２から速やかに取り外すことができ、これにより修復作業の作業効率を高めることができる。
【００１６】
（実施形態）
本発明の実施形態に係るサーバ装置１０１ついて図２〜図１０を参照して説明する。
図２に符号１０で示されるものはサーバ本体部、符号１１で示されるものは該サーバ本体部１０が設置されるサーバラックである。
サーバ本体部１０は、サーバラック１１の前側に配置される第１サーバ（前側サーバ）１２と、サーバラック１１の後側に配置されて外部ケーブル類Ｃが接続されている第２サーバ１３（後側サーバ）とを有する。
この第１サーバ１２には、図２に示されるように、ハードディスク１２Ａ〜１２Ｃ、ＤＶＤ-ＲＯＭ１２Ｄ、フィン１２Ｅ、マザーボード１２Ｆなどが収容されている。また、第２サーバ１３には、ＩＯモジュール１３Ａ、ＰＣＩモジュール１３Ｂ、ＰＣＩライザ１３Ｃなどが収容されている。
【００１７】
これら第１サーバ１２と第２サーバ１３とは、サーバラック１１内にて矢印（イ）−（ロ）方向に直列的に配置されており、両側のレール（後述する）を介して前方となる矢印（イ）側に引き出し可能となっている。
サーバラック１１の第２には、該サーバラック１１に対して第２サーバ１３を固定又は固定解除するためのサーバ固定機構１４が設けられている。
【００１８】
このサーバ固定機構１４は、フロントパネル（図示略）から操作される他、故障個所判別回路１５から出力される制御信号に基づき動作される。
故障個所判別回路１５は、故障検出回路１６（後述する）の検出結果に基づき内部異常による故障個所が第１サーバ１２にあるか、第２サーバ１３にあるかを判別し、その判別結果に基づき、サーバ固定機構１４を作動させる駆動回路１７を駆動制御する。
【００１９】
第１サーバ１２は、第２サーバ１３から分離しサーバラック１１外へ降ろすことが可能なように構成されている。
故障検出回路１６はサーバ本体部１０内にありサーバ本体部１０の故障を検出するための管理チップ（ＢＭＣ）である。
故障個所判別回路１５は管理チップ（ＢＭＣ）が検出した故障個所がサーバ本体部１０をラックから降ろす必要がありかつ外部ケーブル類Ｃを外す必要がある部品であるか判断するための回路である。
駆動回路１７は故障個所判別回路１５の判断内容により、第２サーバ１３を固定するサーバ固定機構１４を駆動するための回路である。
【００２０】
そして、上記のように構成された故障個所判別回路１５では、故障検出回路１６の検出結果に基づき内部異常による故障個所が第１サーバ１２にあるか、第２サーバ１３にあるかを判別し、その判別結果に基づき、サーバ固定機構１４を作動させる駆動回路１７を駆動制御する。
【００２１】
具体的には、この故障個所判別回路１５では、故障検出回路１６の検出結果に基づき故障個所が第１サーバ１２にあると判別した場合に、駆動回路１７に対してサーバ固定機構１４による第２サーバ１３の固定を行なわせる。
また、この故障個所判別回路１５では、故障検出回路１６の検出結果に基づき故障個所が第２サーバ１３にあると判別した場合に、駆動回路１７に対してサーバ固定機構１４による該第２サーバ１３の固定解除を行なわせる。
【００２２】
サーバラック１１には、ラック取付けレール２１と、サーバラックアウターレール２２（以下、ラック側アウターレールという）とが設けられている。
ラック取付けレール２１はサーバ本体部１０をサーバラック１１内に搭載するための部品である。
サーバ側アウターレール２２は、ラック取付けレール２１にラックレールフレーム２１Ａを介して設置されるものであって、サーバ本体部１０に取り付けたサーバラックインナーレール２３・２４（以下、サーバ側インナーレールという）を挿入するための部品である。
【００２３】
サーバ側インナーレールは、サーバ側インナーレール（第１）２３とサーバ側インナーレール（第２）２４とから構成されている。
サーバ側インナーレール（第１）２３は、第１サーバ１２に設置されるものであって、ラック側アウターレール２２に挿入することにより該第１サーバ１２をサーバラック１１に固定するためのレールである。
サーバ側インナーレール（第２）２４は、第２サーバ１３に設置されるものであって、ラック側アウターレール２２に挿入することにより該第２サーバ１３をサーバラック１１に固定するためのレールである。
【００２４】
そして、以上のように構成されたサーバ側アウターレール２２及びサーバ側インナーレール２３・２４により、図３に示されるように第１サーバ１２が第２サーバ１３から分離及び引き出し可能となる。
【００２５】
図４〜図７を参照して、第１サーバ１２をサーバラック１１から引き出すための分離レバー３１について説明する。
なお、これらの図において、図４及び図５は第１サーバ１２が第２サーバ１３に連結された状態を示す側面図であり、図６及び図７は第１サーバ１２が第２サーバ１３から引き出された状態を示す側面図である。
【００２６】
分離レバー３１は第１サーバ１２をサーバラック１１から引き出し、第２サーバ１３から分離するための部材であって、リンク３２に接続されている。
リンク３２は分離レバー３１の動きを、第１サーバ１２と第２サーバ１３との結合部へ伝えるための部品であり、該リンク３２内には、第１サーバ１２と第２サーバ１３を連結するための前後連結部材３３が設置されている。
この前後連結部材３３は、分離レバー３１を操作することにより動作するリンク３２の動きに応じて上下動する。
そして、この前後連結部材３３は、図４及び図５に示されるように、該分離レバー３１が操作されない状態で第２連結固定部３４に係合され、第１サーバ１２のみの引き出しが規制される。
また、この前後連結部材３３は、図６及び図７に示されるように、該分離レバー３１が操作された場合に第２連結固定部３４との係合が外れ、第１サーバ１２のみの引き出しが可能となる。
【００２７】
なお、図５及び図７において、符号３５は、第１サーバ１２と分離レバー３１が接続されている部分となるレバー装置接続部である。
符号３６は、第１サーバ１２と前後連結部材３３が接続されている部分となる連結部材装置接続部３６である。
符号３７は、分離レバー３１とリンク３２が接続されている部分となるレバーリンク接続部である。
符号３８は、前後連結部材３３とリンク３２が接続されている部分となる連結部材リンク接続部である。
【００２８】
次に、図８及び図９を参照して、サーバラック１１に対して第２サーバ１３を固定又は固定解除するためのサーバ固定機構１４について説明する。
このサーバ固定機構１４は、ラック側アウターレール２２に固定されたラック側固定部材４１と、ラック側固定部材４１に対して矢印（ハ）−（ニ）方向に近接離間するように第２サーバ１３に設けられた嵌合部材４２と、該嵌合部材４２を付勢するための圧縮ばね４３と、該該嵌合部材４２を駆動するための電磁石４４と、を有する。
【００２９】
嵌合部材４２は棒状部材４２Ａを有し、該棒状部材４２Ａがラック側固定部材４１に対して矢印（ハ）−（ニ）方向に近接離間するように設けられたものである。そして、この嵌合部材４２では、該ラック側固定部材４１に近接した際に、該ラック側固定部材４１の穴（図示略）に嵌合することにより、第２サーバ１３が矢印（イ）方向に引き出されることを規制する。
電磁石４４は駆動回路１７からの駆動信号に駆動されるものであって、図９に示されるようなＯＮ時に発生した磁力により、嵌合部材４２を矢印（ハ）方向に吸い付けて該嵌合部材４２をラック側固定部材４１に嵌合させ、これにより第２サーバ１３の矢印（イ）方向への引き出しを規制する。
圧縮ばね４３は嵌合部材４２を第２サーバ１３側へ戻すための付勢手段であって、図８に示されるような電磁石４４がＯＦＦとなった場合に、嵌合部材４２を矢印（ニ）方向に付勢して該嵌合部材４２を第２サーバ１３側に戻し、これにより該第２サーバ１３の矢印（イ）方向への引き出しを可能とする。
【００３０】
サーバ本体部１０には、図２及び図３に示されるように、コネクタ及びケーブル類Ｃが接続されている。
具体的には、符号５１は第１サーバ１２のＩＯモジュール部分離／結合のためのＩＯモジュール第１結合部となるコネクタである。
また、符号５２は第１サーバ１２のＰＣＩモジュール部分離／結合のためのＰＣＩモジュール第１結合部となるコネクタである。
また、符号５３は第１サーバ１２の電源部分離／結合のための電源部第１結合部となるコネクタである。
また、符号６１は第２サーバ１３のＩＯモジュール分離／結合のためのＩＯモジュール第２結合部となるコネクタである。
また、符号６２は第２サーバ１３のＰＣＩモジュール部分離／結合のためのＰＣＩモジュール第２結合部となるコネクタである。
また、符号６３は第２サーバ１３の電源部分離／結合のための電源部第２結合部となるコネクタである。
また、符号７１は第２サーバ１３に接続される電源ケーブル、符号７２は第２サーバ１３に接続されるネットワークケーブルであり、これらケーブル７１及び７２により外部ケーブル類Ｃが構成されている。
【００３１】
また、図２に示されるように、第１サーバ１２には、サーバ固定機構１４により第２サーバ１３がラック側アウターレール２２に固定された状態であるかを表示する第２サーバ固定ＬＥＤ８１が設けられている。
また、第２サーバ固定ＬＥＤ８１の近傍に位置する第１サーバ１２には、駆動回路１７に指示を行いサーバ固定機構１４による第２サーバ１３の固定／非固定をフロントパネルから制御するための第２サーバ分離スイッチ８２が設けられている。
【００３２】
本実施形態に係るサーバ装置１０１の動作について図面を基に説明する。なお、この動作は、サーバ装置１０１の分離方法及び分離プログラムに基づき実行される。
【００３３】
まず、図２及び図３に示されるように、サーバラック１１にサーバ本体部１０（第１サーバ１２、第２サーバ１３）を搭載するためには、該サーバラック１１にラック取付けレール２１とラック側アウターレール２２を取り付ける。
その後、サーバ本体部１０に取り付けたサーバ側インナーレール２３・２４を、サーバラック１１に取り付けたラック側アウターレール２２に挿入することで、サーバラック１１へサーバ本体部１０を搭載する。
【００３４】
サーバラック１１へのサーバ本体部１０搭載後、管理チップ（ＢＭＣ）である故障個所検出回路１６は、サーバ本体部１０内で故障が発生したか否かを常時監視する。
このとき、故障個所検出回路１６がサーバ本体部１０での故障を検出した場合には、該故障個所検出回路１６が検出した故障個所の情報を、故障発生情報として故障個所判別回路１５へ通知する。
【００３５】
故障個所判別回路１５は、サーバ本体部１０をサーバラック１１に搭載したまま交換が可能な部品か、サーバ本体部１０をサーバラック１１から降ろす必要があり外部ケーブル類Ｃを外す必要がある部品か、サーバ本体部１０をサーバラック１１から降ろす必要があり外部ケーブル類Ｃを外す必要がない部品かを判別する。
ここで、サーバ本体部１０をサーバラック１１に搭載したまま交換可能な部品の場合には、サーバ本体部１０をサーバラック１１に搭載したまま部品交換を行う。
また、サーバ本体部１０をサーバラック１１から降ろす必要があり外部ケーブル類Ｃを外す必要がある部品の場合には、これまで通り外部ケーブル類Ｃを取り外して、サーバ本体部１０全体をサーバラック１１から降ろしての部品交換作業を行う。
【００３６】
また、故障個所判別回路１５がサーバ本体部１０（の中の第１サーバ１２）をサーバラック１１から降ろす必要があり外部ケーブル類Ｃを外す必要がない部品であると判断した場合には、駆動回路１７へ指示を行い、駆動回路１７はサーバ固定機構１４によって第２サーバ１３のラックへの固定を行わせるとともに第２サーバ固定ＬＥＤ８１を点灯する。
【００３７】
次に、図８及び図９を参照してサーバ固定機構１４の動作について説明する。
図８に示されるように、電磁石４４がＯＦＦとなっている場合には、第２サーバ１３内の嵌合部材４２は圧縮ばね４３の付勢力により第２サーバ１３内部に収まった状態となっている。
一方、駆動回路１７から第２サーバ１３の固定指示があった場合には、図９に示されるように、電磁石４４に通電してＯＮとすることで、嵌合部材４２が、電磁石４４に吸い付けられ第２サーバ１３から外部へ伸びだす仕組みとなっている。
【００３８】
ラック側アウターレール２２に固定されたラック側固定部材４１には穴（図示略）が開いており、伸び出した嵌合部材４２がラック側固定部材４１の穴に嵌合することで、第２サーバ１３をラック側アウターレール２２に固定することができる。
なお、第２サーバ１３がラック側アウターレール２２に固定されている状態では、第２サーバ固定ＬＥＤ８１が点灯される。
その後、作業者は第２サーバ固定ＬＥＤ８１の点灯を確認した上でサーバ本体部１０の分離レバー３１を操作することで（後述する）、第１サーバ１２を第２サーバ１３から分離し、該第１サーバ１２のみをサーバラック１１から矢印（イ）方向に引き出し、降ろし作業を行うことができる。
【００３９】
また、故障個所判別回路１５での判別結果に基づき、駆動回路１７からの第２サーバ１３の固定解除の指示があった場合には、電磁石４４への通電をＯＦＦとし、これよって嵌合部材４２が圧縮ばね４３の付勢力により第２サーバ１３側に戻り、該第２サーバ１３の固定が解除される。
【００４０】
次に、図４〜図７を参照して分離レバー３１の動作について説明する。
図５は第１サーバ１２と第２サーバ１３との連結状態を示した図である。
第１サーバ１２及び第２サーバ１３は、前後連結部材３３と第２連結固定部３４とが係合し合うことで連結されている。分離レバー３１はレバー接続部３５にて第１サーバ１２と接続されており、前後連結部材３３は連結部材接続部３６にて第１サーバ１２と接続されている。
【００４１】
分離レバー３１とリンク３２とはレバーリンク接続部３７にて接続され、前後連結部材３３とリンク３２とは連結部材リンク接続部３８にて接続されている。
そして、このような分離レバー３１では、作業者が上方に引き上げることで前後連結部材３３が動作して、第２連結固定部３４との係合が解除され、第１サーバ１２と第２サーバ１３との連結を外すことができ、該第１サーバ１２をサーバラック１１から引き抜き降ろすことが可能となる。
これにより、図３のように、第１サーバ１２内のＩＯモジュール第１結合部５１、ＰＣＩモジュール第１結合部５２、電源部第１結合部５３のコネクタでは、それぞれ第２サーバ１３内のＩＯモジュール第２結合部６１、ＰＣＩモジュール第２結合部６２、電源部第２結合部６３のコネクタとの結合が外れる。
【００４２】
第１サーバ１２をサーバラック１１から降ろして部品交換作業を実施した後は、第１サーバ１２に取り付けられたサーバ側インナーレール（第１）２３をサーバラック１１に取り付けられたラック側アウターレール２２へ挿入することで、第１サーバ１２をサーバラック１１内に第１サーバ１２を戻すことができる。
その後、分離レバー３１を下方に向けて操作した場合には、前後連結部材３３が第２連結固定部３４に係合し、これによって第１サーバ１２と第２サーバ１３を再度連結し通常状態に戻すことができる。
これと同時に、図３に示す第１サーバ１２内のＩＯモジュール第１結合部５１、ＰＣＩモジュール第１結合部５２、電源部第１結合部５３のコネクタは、それぞれ第２サーバ１３内のＩＯモジュール第２結合部６１、ＰＣＩモジュール第２結合部６２、電源部第２結合部６３のコネクタと結合する。
【００４３】
サーバ固定機構１４によって第２サーバ１３がラック側アウターレール２２に固定されている状態で、第２サーバ固定ＬＥＤ８１が点灯している場合であってもサーバ本体部１０全体（第１サーバ１２及び第２サーバ１３）を抜き出したい場合には、第２サーバ分離スイッチ８２を押下する
これにより、故障個所判別回路１５では、第２サーバ分離スイッチ８２の押下に基づき、駆動回路１７に対して固定解除を指示し、駆動回路１７がサーバ固定機構１４へ第２サーバ１３の固定解除を行わせるとともに第２サーバ固定ＬＥＤ８１を消灯させる。これにより、第１サーバ１２とともに第２サーバ１３をサーバラック１１から降ろすことが可能となる。
【００４４】
また、部品増設時などで、サーバ固定機構１４によって第２サーバ１３がラック側アウターレール２２に固定されていない状態のときに、第１サーバ１２のみをサーバラック１１から降ろしたい場合には、第２サーバ分離スイッチ８２を押下する
これにより、故障個所判別回路１５では、第２サーバ分離スイッチ８２の押下に基づき、駆動回路１７に対してサーバ固定機構１４による第２サーバ１３の固定を指示するとともに第２サーバ固定ＬＥＤ８１を点灯させる。これにより第１サーバ１２のみをサーバラック１１から降ろすことが可能となる。
【００４５】
以上の動作に基づくサーバ装置１０１の動作フローのまとめについて図１０を参照して説明する。
なお、以下のステップ（ＳＰ）において、ステップ１〜１０は故障個所検出回路１６にて故障を検出した場合の処理、ステップ２０及びステップ５〜１０は、第２サーバ分離スイッチ８２を押下した場合の処理を示すものである。
【００４６】
《ステップ１》
故障個所検出回路１６にて検出した故障個所が、サーバ本体部１０（第１サーバ１２又は第２サーバ１３）の内部ではない、ホットスワップ（ＨＯＴＳＷＡＰ）に対応した部品か否かを判断し、ＹＥＳの場合にステップ２に進み、ＮＯの場合にステップ３に進む。
【００４７】
《ステップ２》
故障部品のＬＥＤを点灯させ、ホットスワップ（ＨＯＴＳＷＡＰ）に対応した部品交換を実施する。
【００４８】
《ステップ３》
故障個所検出回路１６にて検出した故障個所が、サーバ本体部１０（第１サーバ１２又は第２サーバ１３）の内部ではない、第２サーバ１３背面側の外部ケーブル類Ｃに関連した部品か否かを判断し、ＹＥＳの場合にステップ４に進み、ＮＯの場合にステップ５に進む。
【００４９】
《ステップ４》
故障個所のＬＥＤを点灯させ、かつ第２サーバ固定ＬＥＤ８１を消灯したまま、該当する部品交換を実施する。
【００５０】
《ステップ５》
故障個所検出回路１６にて検出した故障個所がサーバ本体部１０（第１サーバ１２又は第２サーバ１３）の内部にあるとして（ステップ１〜４を経由した場合）、又は第２サーバ分離スイッチ８２が押下されたとして（ステップ２０を経由した場合）、サーバ固定機構１４の電磁弁４４をＯＮにして第２サーバ１３をラックアウターレール２２に固定する。これとともに、第２サーバ固定ＬＥＤ８１を点灯させる。
【００５１】
《ステップ６》
故障個所検出回路１６にて検出した故障個所が、サーバ本体部１０の第１サーバ１２にあるか否かを判断し、ＮＯの場合にステップ７に進み、ＹＥＳの場合にステップ９に進む。また、ステップ２０にて第２サーバ分離スイッチ８２が押下された場合も、ステップ７に進む。
【００５２】
《ステップ７》
故障個所検出回路１６にて検出した故障個所が、サーバ本体部１０の第２サーバ１３にある（ステップ１〜６を経由した場合）、又はステップ２０にて第２サーバ分離スイッチ８２が押下されたとして（ステップ２０、５、６を経由した場合）、サーバ固定機構１４の電磁弁４４をＯＦＦにする。これによりラック側アウターレール２２に対する第２サーバ１３の固定解除をするとともに、第２サーバ固定ＬＥＤ８１を消灯する。
【００５３】
《ステップ８》
サーバラック１１からサーバ本体部１０全体（第１サーバ１２及び第２サーバ１３）を矢印（イ）方向に引き出し、故障個所の部品を交換する。
【００５４】
《ステップ９》
故障個所検出回路１６にて検出した故障個所が、サーバ本体部１０の第１サーバ１２にあるとして、分離レバー３１を操作する。この分離レバー３１を操作により、第１サーバ１２と第２サーバ１３との連結状態を解除する。
このとき、第２サーバ１３は、サーバ固定機構１４によりラックアウターレール２２に固定された状態であるので（ステップ５の処理）、サーバラック１１から第１サーバ１２のみを矢印（イ）方向に引き出し可能である。これによって第１サーバ１２内の故障個所の部品交換が可能となる。
【００５５】
《ステップ１０》
部品交換を完了した第１サーバ１２をサーバラック１１に戻す作業を行ない、第２サーバ固定ＬＥＤ８１を消灯した後、本フローチャートを終了する。
【００５６】
以上詳細に説明したように本実施形態に示されるサーバ装置１０１によれば、第１サーバ１２の内部異常を検出する故障検出回路１６の検出結果に基づき、故障個所判別回路１５が、内部異常に基づく故障個所が第１サーバ１２にあるか、第２サーバ１３にあるかを判別する。
その後、この故障個所判別回路１５は、故障検出回路１６の検出結果に基づく故障個所が第１サーバ１２にあると判別した場合に、サーバ固定機構１４による第２サーバ１３の固定を行なわせ、また、故障検出回路１６の検出結果に基づく故障個所が第２サーバ１３にあると判別した場合に、サーバ固定機構１４による該第２サーバ１３の固定解除を行なわせる。
【００５７】
すなわち、上記サーバ装置１０１では、故障個所が第１サーバ１２にある場合に、サーバ固定機構１４による第２サーバ１３の固定が行われるので、その後、分離レバー３１の操作により第１サーバ１２を第２サーバ１３から分離することができる。
その結果、上記サーバ装置１０１では、故障個所判別回路１５の判別結果に基づき、第２サーバ１３の外部ケーブル類Ｃを取り外すことなく、不具合のある第１サーバ１２のみをサーバラック１１から速やかに取り外すことができ、これにより修復作業の作業効率を高めることができる。
【００５８】
また、本実施形態に示されるサーバ装置１０１では、サーバ本体部１０に故障が発生した場合、故障個所検出回路１６が検出した故障情報により、故障個所判別回路１５がサーバ本体部１０をサーバラック１１から降ろす必要があり外部ケーブル類Ｃを外す必要がない部品であると判断した場合、サーバ固定機構１４が第２サーバ１３をラック側アウターレール２２に固定することで、第１サーバ１２のみをサーバラック１１から降ろして作業を行うことができる。
【００５９】
また、本実施形態に示されるサーバ装置１０１では、部品増設等の場合も、第２サーバ固定スイッチ８２を押すことで、サーバ固定機構１４が第２サーバ１３をラック側アウターレール２２に固定し第１サーバ１２のみをサーバラック１１から降ろして作業することができる。
これにより外部ケーブル類Ｃの取外し作業無しに第１サーバ１２をサーバラック１１から降ろして作業ができるため作業効率が向上するという効果がある。また、外部ケーブル類Ｃを外さずに部品交換作業等ができる機構を１Ｕのサーバ本体部１０で実現することが可能となる。
【００６０】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００６１】
本発明は、コンピュータのサーバラックに搭載されるサーバ装置、サーバ装置の分離方法及びプログラムに関する。
【符号の説明】
【００６２】
１  サーバ本体部
２  サーバラック
３  第１サーバ（前側サーバ）
４  第２サーバ（後側サーバ）
５  サーバ固定機構
６  故障検出回路
７  故障個所判別回路
８  駆動回路
１００  サーバ装置
【図１】
2017167731.tif 000003
【図２】
2017167731.tif 000004
【図３】
2017167731.tif 000005
【図４】
2017167731.tif 000006
【図５】
2017167731.tif 000007
【図６】
2017167731.tif 000008
【図７】
2017167731.tif 000009
【図８】
2017167731.tif 000010
【図９】
2017167731.tif 000011
【図１０】
2017167731.tif 000012